(57)【要約】【課題】  冷却効率及びエネルギー回収効率のいずれについても優れたエンジンを提供する。【解決手段】  エンジン１００は、廃熱から機械的エネルギーを回収し得るように構成されている。エンジンブロック１１０には、液体状の冷却水を噴射する冷却水噴射部１３７が設けられている。冷却水噴射部１３７によって噴射された後に生じた冷却水の蒸気は、蒸気導出路１４１によって、エンジンブロック１１０の外部に導出される。この蒸気は、過熱器１４２によって加熱され、タービン１４３に達する。タービン１４３にて、蒸気から機械的エネルギーが回収される。タービン１４３を経た蒸気は、コンデンサ１４４にて凝縮される。【選択図】  図１
2008121615.tif 000002
【特許請求の範囲】
【請求項１】
廃熱から機械的エネルギーを回収し得るように構成されたエンジンにおいて、
シリンダと、前記シリンダと連通する吸気通路及び排気通路と、が形成されたエンジンブロックと、
液体状の冷却媒体を前記エンジンブロックに向けて噴射するように構成された、冷却媒体噴射部と、
前記冷却媒体噴射部によって噴射された後に気化した前記冷却媒体の蒸気を、前記エンジンブロックの外に導出するように構成された、蒸気導出路と、
前記蒸気導出路に介装されていて、前記排気通路内を通過する前記排気ガスと前記蒸気との熱交換によって当該蒸気を加熱するように構成された、蒸気加熱器と、
前記蒸気導出路に介装されていて、前記蒸気加熱器を経た前記蒸気から機械的エネルギーを回収するように構成された、膨張器と、
前記膨張器を経た前記蒸気を凝縮するように構成された、凝縮器と、
を備えたことを特徴とするエンジン。
【請求項２】
請求項１に記載のエンジンにおいて、
前記エンジンブロックは、
前記吸気通路及び前記排気通路が形成された、シリンダヘッドと、
前記シリンダと、当該シリンダを囲むウォータージャケットと、が形成された、シリンダブロックと、
を備え、
前記ウォータージャケットは、前記シリンダヘッドにおける、前記冷却媒体噴射部によって前記冷却媒体が噴射される空間と連通するように形成され、
前記シリンダヘッドの前記空間における上部が、前記蒸気導出路と接続され、
前記シリンダ側から前記排気通路を閉鎖し得る排気弁が下端に設けられた棒状の部材である排気弁ステムが貫通される排気弁ステムガイド孔が、前記シリンダヘッドに形成され、
前記排気弁ステムガイド孔と前記排気弁ステムとの隙間をシールするためのステムシール部材が、前記シリンダヘッドに装着され、
前記冷却媒体噴射部に前記冷却媒体を供給する冷却媒体供給路が、前記ステムシール部材の近傍を通るように、前記シリンダヘッドに形成されていることを特徴とするエンジン。
【請求項３】
請求項１に記載のエンジンにおいて、
前記エンジンブロックは、
前記吸気通路及び前記排気通路が形成された、シリンダヘッドと、
前記シリンダと、当該シリンダを囲むウォータージャケットと、が形成された、シリンダブロックと、
を備え、
前記ウォータージャケットは、前記シリンダヘッドにおける、前記冷却媒体噴射部によって前記冷却媒体が噴射される空間と連通するように形成され、
前記シリンダヘッドの前記空間における上部が、前記蒸気導出路と接続され、
前記シリンダ側から前記排気通路を閉鎖し得る排気弁が下端に設けられた棒状の部材である排気弁ステムが貫通される排気弁ステムガイド孔が、前記シリンダヘッドに形成され、
前記排気弁ステムガイド孔と前記排気弁ステムとの隙間をシールするためのステムシール部材が、前記シリンダヘッドに装着され、
前記冷却媒体噴射部は、前記ステムシール部材の近傍に前記冷却媒体を噴射するように構成されたことを特徴とするエンジン。
【請求項４】
請求項３に記載のエンジンであって、
前記冷却媒体噴射部に前記冷却媒体を供給する冷却媒体供給路が、前記ステムシール部材の近傍を通るように、前記シリンダヘッドに形成されていることを特徴とするエンジン。
【請求項５】
請求項２ないし請求項４のいずれかに記載のエンジンにおいて、
前記凝縮器にて凝縮された液体状の前記冷却媒体を貯留するように構成された、冷却媒体貯留部と、
前記冷却媒体貯留部から前記冷却媒体噴射部に向けて、液体状の前記冷却媒体を送出するように構成された、冷却媒体送出ポンプと、
を、さらに備えたことを特徴とするエンジン。
【請求項６】
請求項５に記載のエンジンであって、
前記冷却媒体送出ポンプは、
前記冷却媒体貯留部から前記ウォータージャケットに前記冷却媒体を送出するように構成された、供給ポンプと、
前記ウォータージャケットの底部から前記冷却媒体噴射部に前記冷却媒体を送出するように構成された、循環ポンプと、
を備えたことを特徴とするエンジン。
【請求項７】
請求項６に記載のエンジンであって、
前記循環ポンプは、所定の加温対象を加温するように構成されたヒータにも前記冷却媒体を送出するように構成されたことを特徴とするエンジン。
【請求項８】
請求項１ないし請求項７のいずれかに記載のエンジンであって、
前記冷却媒体噴射部は、前記エンジンブロックと前記蒸気導出路とを接続する蒸気排出路に向けて、前記冷却媒体を噴射するように構成されたことを特徴とするエンジン。
【請求項９】
請求項８に記載のエンジンであって、
前記エンジンブロックは、鉛直方向に対して第１の側に傾斜するように配置されていて、
前記冷却媒体噴射部は、前記エンジンブロックの上部であって、前記第１の側に設けられ、
前記蒸気排出路は、前記エンジンブロックの上部であって、前記第１の側と反対の第２の側に設けられたことを特徴とするエンジン。
【発明の詳細な説明】
【技術分野】
【０００１】
本発明は、廃熱から機械的エネルギーを回収し得るように構成されたエンジンに関する。
【背景技術】
【０００２】
この種のエンジンとして、例えば、特開平６−８８６２３号公報、特開２０００−７３７５３号公報、特開２０００−３４５８３５号公報に記載されたものが知られている。これらのエンジンは、燃焼熱や摩擦熱等の廃熱によって冷却水（冷却媒体）から蒸気を発生させ、この蒸気の膨張によって機械的エネルギーを回収し得るように構成されている。
【０００３】
これらのエンジンは、一般に、シリンダブロックと、供給ポンプと、流入路と、流出路と、加熱器（過熱器）と、エキスパンダ（タービン）と、コンデンサと、を備えている。
【０００４】
前記シリンダブロックには、冷却水循環経路の一部を構成するウォータージャケットが設けられている。前記供給ポンプは、前記流入路を介して、前記ウォータージャケットに前記冷却水を供給するように構成されている。
【０００５】
前記流出路は、前記加熱器に連通している。この加熱器は、排気ガスの熱を熱源として、前記ウォータージャケットから流出した蒸気をさらに加熱（過熱）するように構成されている。
【０００６】
前記エキスパンダは、過熱蒸気の膨張エネルギーを機械的エネルギーに変換するように構成されている。前記コンデンサは、エネルギーを失って低圧となった蒸気を冷却することで液体に凝縮するように構成されている。
【０００７】
かかる構成においては、前記冷却水が、前記流入路から前記ウォータージャケットに供給される。このウォータージャケット内にて、前記冷却水から蒸気が発生する。この蒸気が、前記加熱器により、排気ガスとの熱交換でさらに加熱（過熱）される。
【０００８】
そして、前記エキスパンダにて、加熱（過熱）された蒸気が膨張する。これにより、機械的エネルギーが回収される。その後、エネルギーを失った低圧蒸気は、前記コンデンサに流入し、凝縮されて液体（前記冷却水）となる。このコンデンサにて凝縮された前記冷却水は、再び前記供給ポンプによって前記ウォータージャケットに供給される。
【特許文献１】特開平６−８８６２３号公報
【特許文献２】特開２０００−７３７５３号公報
【特許文献３】特開２０００−３４５８３５号公報
【発明の開示】
【発明が解決しようとする課題】
【０００９】
この種のエンジンにおいては、前記冷却媒体は、（１）オーバーヒート防止のためのエンジンの冷却、及び（２）廃熱の吸収及び膨張による機械的エネルギーの回収、という、２つの機能を有する。この点、従来のこの種のエンジンにおいては、前記冷却媒体の供給状態に改良の余地があった。
【００１０】
例えば、特開平６−８８６２３号公報、特開２０００−７３７５３号公報、特開２０００−３４５８３５号公報に記載された構成においては、前記ウォータージャケット内に流入した前記冷却媒体が、当該ウォータージャケットの壁面と接触することによって、前記シリンダブロックや前記シリンダヘッドの冷却、及び前記冷却媒体の蒸発（蒸気の発生）が行われていた。
【００１１】
かかる構成においては、前記ウォータージャケットの壁面にて、前記冷却媒体の膜沸騰現象が生じることが多い。この膜沸騰現象により、前記ウォータージャケットの壁面と前記冷却媒体との間に、前記冷却媒体の蒸気による薄層が生じる。この気体の薄層は断熱層として作用するため、前記シリンダブロックや前記シリンダヘッドの冷却効率が低下し、同時に前記冷却媒体の吸熱効率も低下する。この吸熱効率が低下すると、機械的エネルギーの回収効率もまた低下する。
【００１２】
すなわち、従来のこの種のエンジンにおいては、前記ウォータージャケットの壁面における膜沸騰現象により、（１）オーバーヒート防止のためのエンジンの冷却、及び（２）廃熱の吸収及び膨張による機械的エネルギーの回収、という、２つの機能のいずれについても、充分な効果が得られていなかった。
【００１３】
本発明は、冷却効率及びエネルギー回収効率のいずれについても優れたエンジンを提供するものである。
【課題を解決するための手段及び発明の効果】
【００１４】
本発明のエンジンは、エンジンブロックと、冷却媒体噴射部と、蒸気導出路と、蒸気加熱器と、膨張器（expander）と、凝縮器（condenser）と、を備えている。
【００１５】
前記エンジンブロックには、シリンダと、吸気通路と、排気通路と、が形成されている。前記吸気通路及び前記排気通路は、前記シリンダと連通している。
【００１６】
前記冷却媒体噴射部は、液体状の冷却媒体を前記エンジンブロックに向けて噴射するように構成されている。１つ以上の前記冷却媒体噴射部が、各気筒ごとに設けられ得る。前記冷却媒体噴射部は、例えば、前記エンジンブロックに装着された液体噴射装置から構成され得る。あるいは、前記冷却媒体噴射部は、前記エンジンブロックに設けられた前記冷却媒体の通路の末端の、小径のノズルから構成され得る。
【００１７】
前記冷却媒体噴射部は、前記冷却媒体を液滴状にして前記エンジンブロックに向けて噴射するように構成され得る。
【００１８】
また、前記冷却媒体噴射部は、前記エンジンブロックのうちの、最も高温になる部位（燃焼室や前記排気通路の近辺）に対して液体状の前記冷却媒体を噴射するように構成され得る。
【００１９】
前記蒸気導出路は、前記冷却媒体噴射部によって噴射された後に気化した前記冷却媒体の蒸気を、前記エンジンブロックの外に導出するように構成されている。
【００２０】
前記蒸気加熱器は、前記蒸気導出路に介装されている。この蒸気加熱器は、前記排気通路内を通過する前記排気ガスと前記蒸気との熱交換によって、当該蒸気を加熱するように構成されている。
【００２１】
前記膨張器は、前記蒸気導出路に介装されている。この膨張器は、前記蒸気加熱器を経た前記蒸気から機械的エネルギーを回収するように構成されている。この膨張器としては、タービンが用いられ得る。あるいは、前記膨張器として、ピストンを備えた構成等が用いられ得る。
【００２２】
前記凝縮器は、前記膨張器を経た前記蒸気を凝縮するように構成されている。
【００２３】
ここで、前記エンジンブロックは、シリンダヘッドと、シリンダブロックと、を備え、このシリンダヘッドは、以下のように構成され得る。
【００２４】
前記シリンダヘッドには、前記吸気通路及び前記排気通路が形成されている。前記シリンダブロックには、前記シリンダと、ウォータージャケットと、が形成されている。
【００２５】
前記ウォータージャケットは、前記シリンダを囲むように設けられている。このウォータージャケットは、前記シリンダヘッドにおける、前記冷却媒体噴射部によって前記冷却媒体が噴射される空間と連通するように形成されている。この空間における上部が、前記蒸気導出路と接続されている。
【００２６】
前記シリンダヘッドには、排気弁ステムガイド孔が形成されている。この排気弁ステムガイド孔は、排気弁ステムが貫通される孔である。この排気弁ステムは、排気弁が下端に設けられた棒状の部材である。この排気弁は、前記シリンダ側から前記排気通路を閉鎖し得るように構成されている。
【００２７】
前記シリンダヘッドには、ステムシール部材が装着されている。このステムシール部材は、前記排気弁ステムガイド孔と前記排気弁ステムとの隙間をシールするように構成されている。
【００２８】
本発明のエンジンにおいては、前記冷却媒体噴射部によって、液体状の前記冷却媒体が、前記エンジンブロックに噴射される。これにより、当該エンジンブロックが冷却される。また、当該エンジンブロックの冷却に伴い、前記冷却媒体が吸熱する。これにより、前記冷却媒体の蒸気が発生する。
【００２９】
前記蒸気は、前記蒸気導出路を介して前記エンジンブロックから導出され、前記蒸気加熱器に達する。この蒸気加熱器において、前記蒸気は、前記排気通路内を通過する前記排気ガスと前記蒸気との熱交換によって加熱（過熱）される。
【００３０】
加熱された前記蒸気は、前記膨張器にて膨張する。これにより、前記蒸気から機械的エネルギーが回収される。この膨張器を経た前記蒸気は、前記凝縮器に達する。この凝縮器にて、前記蒸気が凝縮される。すなわち、当該凝縮器にて、前記冷却媒体が液体となる。液体となった前記冷却媒体は、再度前記冷却媒体噴射部に供給され得る。
【００３１】
本発明のエンジンによれば、液体状の前記冷却媒体が前記エンジンブロックに噴射される。これにより、当該エンジンブロックの前記冷却媒体が噴射された壁面における、膜沸騰現象の発生が、緩和又は抑制され得る。
【００３２】
よって、前記エンジンブロックの冷却が効率的に行われ得る。また、これと同時に、前記エンジンブロックから前記冷却媒体への熱の伝達、すなわち、前記冷却媒体の吸熱が、効率的に行われ得る。したがって、高エネルギーの前記蒸気が、効率的に発生し得る。
【００３３】
このように、本発明によれば、前記エンジンブロックの冷却効率、及び前記エンジンブロックにて発生する廃熱からのエネルギー回収効率が、いずれも、より高くされ得る。
【００３４】
・前記冷却媒体噴射部に前記冷却媒体を供給する冷却媒体供給路が、前記ステムシール部材の近傍を通るように、前記シリンダヘッドに形成されていてもよい。
【００３５】
かかる構成においては、前記冷却媒体噴射部によって、液体状の前記冷却媒体が、前記エンジンブロックに噴射される。このとき、前記冷却媒体噴射部に供給される前記冷却媒体は、前記シリンダヘッドにおける前記ステムシール部材の近傍の部分を通る。すると、当該部分が、液体状の前記冷却媒体によって冷却される。
【００３６】
かかる構成によれば、熱による前記ステムシール部材の劣化が抑制され得る。
【００３７】
・前記冷却媒体噴射部は、前記ステムシール部材の近傍に前記冷却媒体を噴射するように構成されていてもよい。
【００３８】
かかる構成においては、前記冷却媒体噴射部によって、液体状の前記冷却媒体が、前記シリンダヘッドにおける前記ステムシール部材の近傍に噴射される。すると、前記シリンダヘッドにおける前記ステムシール部材の近傍が、液体状の前記冷却媒体によって冷却される。
【００３９】
かかる構成によれば、熱による前記ステムシール部材の劣化が抑制され得る。
【００４０】
・前記エンジンが、冷却媒体貯留部と、冷却媒体送出ポンプと、をさらに備えていてもよい。ここで、前記冷却媒体貯留部は、前記凝縮器にて凝縮された液体状の前記冷却媒体を貯留するように構成されている。また、前記冷却媒体送出ポンプは、前記冷却媒体貯留部から前記冷却媒体噴射部に向けて、液体状の前記冷却媒体を送出するように構成されている。
【００４１】
かかる構成においては、前記凝縮器にて凝縮された液体状の前記冷却媒体が、前記冷却媒体貯留部に貯留される。この冷却媒体貯留部に貯留された液体状の前記冷却媒体は、前記冷却媒体送出ポンプによって、前記冷却媒体噴射部に向けて送出される。
【００４２】
かかる構成によれば、充分な量の液体状の前記冷却媒体を、前記冷却媒体貯留部に貯留することで、前記冷却媒体噴射部への液体状の前記冷却媒体の供給が安定的に行われ得る。
【００４３】
・前記冷却媒体送出ポンプとしての、供給ポンプ及び循環ポンプが、前記エンジンに設けられていてもよい。ここで、前記供給ポンプは、前記冷却媒体貯留部から前記ウォータージャケットに前記冷却媒体を送出するように構成されている。また、前記循環ポンプは、前記ウォータージャケットの底部から前記冷却媒体噴射部に前記冷却媒体を送出するように構成されている。
【００４４】
かかる構成においては、液体状の前記冷却媒体が、前記供給ポンプによって、前記冷却媒体貯留部から前記ウォータージャケットに送出される。また、液体状の前記冷却媒体が、前記循環ポンプによって、前記ウォータージャケットの底部から前記冷却媒体噴射部に送出される。
【００４５】
ここで、前記循環ポンプによって前記冷却媒体噴射部に送出される液体状の前記冷却媒体には、前記冷却媒体噴射部によって噴射されたもののうちの気化しなかった（蒸気にならなかった）ものと、前記供給ポンプによって前記冷却媒体貯留部から送出されたものと、が含まれ得る。
【００４６】
すなわち、ある程度昇温された状態の、液体状の前記冷却媒体が、前記循環ポンプによって前記冷却媒体噴射部に送出され、前記冷却媒体噴射部によって前記エンジンブロックに噴射される。
【００４７】
かかる構成によれば、前記エンジンブロックの過度の冷却が防止され得る。したがって、フリクションロスの発生が効果的に抑制され得る。また、蒸気の温度もより高温にされ得る。したがって、前記エンジンブロックにて発生する廃熱からのエネルギー回収効率が、より高くされ得る。
【００４８】
なお、前記ウォータージャケット内の液体状の前記冷却媒体及び前記蒸気から、液体状のものだけが前記循環ポンプに供給されるように、前記ウォータージャケットの底部と前記循環ポンプとの接続状態が設定されていることが好適である。
【００４９】
すなわち、液体と蒸気との混合物から液体のみを抽出して前記冷却媒体噴射部に供給し得るように、前記ウォータージャケット及び前記循環ポンプが構成されることが好適である。例えば、前記ウォータージャケットの最低部に、前記循環ポンプへと向かう液体状の前記冷却媒体の排出路が形成され得る。
【００５０】
これにより、前記冷却媒体噴射部による液体状の前記冷却媒体の確実な噴射、及び前記エンジンブロックの適切かつ確実な冷却が達成され得る。
【００５１】
前記循環ポンプと接続された前記冷却媒体噴射部の他に、前記供給ポンプと接続された前記冷却媒体噴射部が備えられていてもよい。すなわち、前記供給ポンプは、もう１つの前記冷却媒体噴射部を介して前記エンジンブロックに液体状の前記冷却媒体を噴射することで、前記ウォータージャケットに前記冷却媒体を供給するように構成されていてもよい。
【００５２】
かかる構成においては、前記循環ポンプから供給された液体状の前記冷却媒体が、前記冷却媒体噴射部によって前記エンジンブロックに噴射される。
【００５３】
また、前記供給ポンプから供給された液体状の前記冷却媒体が、もう一つの前記冷却媒体噴射部によって前記エンジンブロックに噴射される。そして、噴射されたもののうちの気化しなかった（蒸気にならなかった）ものが、前記ウォータージャケットの底部に供給され、前記循環ポンプに供給される。
【００５４】
かかる構成によれば、液体状の前記冷却媒体の前記エンジンブロックへの確実な噴射、及び前記エンジンブロックの適切かつ確実な冷却が達成され得る。
【００５５】
・前記循環ポンプは、所定の加温対象を加温するように構成されたヒータにも前記冷却媒体を送出するように構成されていてもよい。
【００５６】
かかる構成においては、液体状の前記冷却媒体が、前記循環ポンプによって、前記ウォータージャケットの底部から、前記冷却媒体噴射部及び前記ヒータに送出される。すなわち、ある程度昇温された状態の、液体状の前記冷却媒体が、前記循環ポンプによって、前記冷却媒体噴射部及び前記ヒータに送出される。そして、このヒータによって、所定の加温対象（運転室内の空気等）が加温される。
【００５７】
かかる構成によれば、ヒータのウォーミングアップが早期に行われ得る。
【００５８】
・前記冷却媒体噴射部は、前記エンジンブロックと前記蒸気導出路とを接続する蒸気排出路に向けて、前記冷却媒体を噴射するように構成されていてもよい。
【００５９】
この場合、前記エンジンが、以下のように構成されていてもよい：前記エンジンブロックは、鉛直方向に対して第１の側に傾斜するように配置されている。また、前記冷却媒体噴射部は、前記エンジンブロックの上部であって、前記第１の側に設けられている。さらに、前記蒸気排出路は、前記エンジンブロックの上部であって、前記第１の側と反対の第２の側に設けられている。
【００６０】
かかる構成においては、前記冷却媒体噴射部によって、液体状の前記冷却媒体が、前記エンジンブロックに噴射される。そして、前記エンジンブロックから熱を吸収することで発生した前記冷却媒体の蒸気が、前記蒸気排出路を介して、前記蒸気導出路に流入する。
【００６１】
このとき、液体状の前記冷却媒体は、前記冷却媒体噴射部により、前記蒸気排出路に向けて噴射される。これにより、前記冷却媒体噴射部から前記蒸気排出路に向かって、空気の流れが形成される。この流れによって、前記蒸気が、前記蒸気排出路を介して、前記蒸気導出路に導入される。
【００６２】
かかる構成によれば、発生した前記蒸気が、前記加熱部に効率的に導入され得る。
【発明を実施するための最良の形態】
【００６３】
以下、本発明の実施形態（本願の出願時点において取り敢えず出願人が最良と考えている実施形態）について図面を参照しつつ説明する。
【００６４】
＜エンジンブロックの構成＞
図１は、本発明の一実施形態に係るエンジン１００の概略構成図である。本実施形態におけるエンジン１００は、直列多気筒型のガソリンエンジンとして構成されている。
【００６５】
図１を参照すると、エンジン１００は、エンジンブロック１１０を備えている。このエンジンブロック１１０は、エンジン１００の本体部を構成する部材である。図１には、エンジンブロック１１０の、気筒配列方向と垂直な側断面図が示されている。
【００６６】
＜＜シリンダブロックの構成＞＞
エンジンブロック１１０は、シリンダブロック１２０を備えている。シリンダブロック１２０には、略円筒形状の貫通孔であるシリンダ１２１が形成されている。シリンダ１２１内には、ピストン１２２が、シリンダ１２１の高さ方向（図中上下方向）に沿って往復運動可能に収容されている。
【００６７】
すなわち、図１には、１つのシリンダ１２１の軸中心を通る平面による、エンジンブロック１１０の側断面図が示されている。そして、本実施形態のエンジン１００においては、すべてのシリンダ１２１に対応して、以下に説明する構成が備えられているものとする。
【００６８】
シリンダブロック１２０には、本発明のウォータージャケットとしての、ロアジャケット１２３が形成されている。ロアジャケット１２３は、シリンダ１２１を囲むように設けられている。ロアジャケット１２３は、平面視にて略リング状の空間である。このロアジャケット１２３は、その内部を冷却水及びその蒸気が通過し得るように構成されている。
【００６９】
ロアジャケット１２３の最低部には、冷却水排出路１２４が設けられている。冷却水排出路１２４は、ロアジャケット１２３の底部に貯留された液体状の冷却水を、外部に排出し得るように構成されている。すなわち、冷却水排出路１２４は、ロアジャケット１２３内の冷却水のうちの、底部の液体状のものだけを、外部に排出し得るように構成されている。
【００７０】
ロアジャケット１２３の底部には、冷却水注入路１２５が設けられている。冷却水注入路１２５は、ロアジャケット１２３の底部に液体状の冷却水を注入し得るように構成されている。この冷却水注入路１２５は、ロアジャケット１２３内に所定量の冷却水が貯留され得るように、冷却水排出路１２４よりも上方に設けられている。
【００７１】
＜＜シリンダヘッドの構成＞＞
エンジンブロック１１０は、シリンダヘッド１３０を備えている。シリンダヘッド１３０の下端面は、シリンダブロック１２０の上端面と接合されている。
【００７２】
シリンダヘッド１３０には、本発明の吸気通路を構成する吸気ポート１３１と、本発明の排気通路を構成する排気ポート１３２と、が形成されている。吸気ポート１３１及び排気ポート１３２は、シリンダ１２１の上端部と連通するように設けられている。
【００７３】
本実施形態においては、吸気ポート１３１は、気筒配列方向に沿って２つ設けられている。そして、一対の吸気ポート１３１は、シリンダ１２１の軸中心を通る平面を挟んで、ほぼ対称に形成されている。同様に、排気ポート１３２も、気筒配列方向に沿って２つ設けられている。
【００７４】
吸気ポート１３１と排気ポート１３２との間には、点火プラグ１３３が設けられている。点火プラグ１３３は、シリンダ１２１の軸中心付近に配置されている。
【００７５】
図２Ａは、図１に示されているシリンダヘッド１３０の拡大図である。この図２Ａは、図１に示されているシリンダヘッド１３０の、シリンダ１２１の軸中心を通り気筒配列方向と垂直な平面による側断面図である。図２Ｂは、図１に示されているシリンダヘッド１３０の、図２Ａとは異なる平面による側断面図である。すなわち、図２Ｂは、図１に示されているシリンダヘッド１３０の、吸気ポート１３１及び排気ポート１３２の下端部における中心を通る平面による側断面図である。
【００７６】
図１、図２Ａ、及び図２Ｂを参照すると、シリンダヘッド１３０には、吸気部１３４が設けられている。吸気部１３４は、シリンダ１２１内（燃焼室内）に、燃焼前のガスを導入し得るように、以下のように構成されている。
【００７７】
吸気部１３４は、吸気弁１３４ａを備えている。吸気弁１３４ａは、吸気ポート１３１をシリンダ１２１側から（ピストン１２２側から）閉鎖し得るように構成されている。
【００７８】
吸気弁１３４ａは、吸気弁ステム１３４ｂの下端に設けられている。この吸気弁ステム１３４ｂは、棒状部材であって、吸気弁１３４ａと一体に成形されている。
【００７９】
吸気弁ステム１３４ｂは、吸気弁ステムガイド孔１３４ｃを貫通するように配置されている。吸気弁ステムガイド孔１３４ｃは、シリンダヘッド１３０に形成された貫通孔である。この吸気弁ステムガイド孔１３４ｃは、吸気弁ステム１３４ｂの上下動をガイドし得るように構成されている。
【００８０】
吸気弁ステム１３４ｂと吸気弁ステムガイド孔１３４ｃとの隙間に対応する位置には、吸気弁ステムシール部材１３４ｄが装着されている。吸気弁ステムシール部材１３４ｄは、上述の隙間をシールするように構成されている。
【００８１】
シリンダヘッド１３０には、排気部１３５が設けられている。排気部１３５は、シリンダ１２１の軸中心を通り気筒配列方向と平行な平面を挟んで、吸気部１３４とほぼ対称の位置に設けられている。この排気部１３５は、シリンダ１２１内（燃焼室内）の燃焼済みのガスを、シリンダ１２１外に排出し得るように構成されている。この排気部１３５は、吸気部１３４と同様の構造を有していて、以下のように構成されている。
【００８２】
排気弁１３５ａは、排気ポート１３２をシリンダ１２１側から（ピストン１２２側から）閉鎖し得るように構成されている。この排気弁１３５ａは、棒状の排気弁ステム１３５ｂの下端に設けられている。排気弁ステム１３５ｂは、排気弁１３５ａと一体に成形されている。
【００８３】
また、排気弁ステム１３５ｂは、排気弁ステムガイド孔１３５ｃを貫通するように配置されている。排気弁ステムガイド孔１３５ｃは、シリンダヘッド１３０に形成された貫通孔である。この排気弁ステムガイド孔１３５ｃは、排気弁ステム１３５ｂの上下動をガイドし得るように構成されている。
【００８４】
さらに、排気弁ステム１３５ｂと排気弁ステムガイド孔１３５ｃとの隙間に対応する位置には、排気弁ステムシール部材１３５ｄが装着されている。排気弁ステムシール部材１３５ｄは、耐熱性を有する合成樹脂によって形成されている。この排気弁ステムシール部材１３５ｄは、上述の隙間をシールするように構成されている。
【００８５】
＜＜＜冷却水噴射部の周辺の構成＞＞＞
シリンダヘッド１３０の内部かつ下部には、アッパージャケット１３６が形成されている。アッパージャケット１３６は、その内部を、液体状の冷却水及びその蒸気が通過し得るように構成された空間である。このアッパージャケット１３６は、一対の吸気ポート１３１の間、一対の排気ポート１３２の間、及び吸気ポート１３１と排気ポート１３２との間、に設けられている。
【００８６】
アッパージャケット１３６は、ロアジャケット１２３の上端部と連通するように設けられている。すなわち、液体状の冷却水が、重力の作用で、アッパージャケット１３６からロアジャケット１２３に流れ落ち得るようになっている。また、ロアジャケット１２３にて発生した冷却水の蒸気が、その上方のアッパージャケット１３６に流入し得るようになっている。
【００８７】
一対の排気ポート１３２の間に設けられたアッパージャケット１３６に対応する位置には、冷却水噴射部１３７が設けられている。冷却水噴射部１３７は、液体状の冷却水を、シリンダヘッド１３０の内壁面に向けて噴射し得るように、構成及び配置されている。
【００８８】
具体的には、本実施形態においては、冷却水噴射部１３７は、アッパージャケット１３６の内壁面であって排気弁１３５ａの近傍の位置に向けて噴射し得るように、構成及び配置されている。この冷却水噴射部１３７は、燃料噴射用ノズルと同様の構造を有していて、冷却水を細かい液滴状にして勢いよく噴射し得るように構成されている。
【００８９】
シリンダヘッド１３０の内部には、冷却水供給路１３８が設けられている。冷却水供給路１３８は、冷却水噴射部１３７へ液体状の冷却水を供給し得るように構成されている。この冷却水供給路１３８は、内部通路１３８ａと、接続通路１３８ｂと、から構成されている。
【００９０】
内部通路１３８ａは、シリンダヘッド１３０の本体を構成する壁材の内部に形成された冷却水路である。この内部通路１３８ａは、排気弁ステムシール部材１３５ｄの近傍を通るように設けられている。接続通路１３８ｂは、内部通路１３８ａの末端と冷却水噴射部１３７とを接続する配管部材から構成されている。
【００９１】
シリンダヘッド１３０の上部には、蒸気排出路１３９が形成されている。具体的には、蒸気排出路１３９は、アッパージャケット１３６の最上部から斜め上方に延びるように設けられている。蒸気排出路１３９は、アッパージャケット１３６の最上部と接続されている。この蒸気排出路１３９は、アッパージャケット１３６内の蒸気を、当該アッパージャケット１３６外に排出し得るように構成されている。
【００９２】
＜廃熱回収部の構成＞
再び図１を参照すると、エンジン１００は、廃熱回収部１４０を備えている。廃熱回収部１４０は、エンジンブロック１１０にて発生した廃熱から機械的エネルギーを回収し得るように、以下のように構成されている。
【００９３】
蒸気排出路１３９には、蒸気導出路１４１が接続されている。蒸気導出路１４１は、冷却水噴射部１３７によって噴射された後に気化した冷却水の蒸気を、エンジンブロック１１０の外に導出し得るように構成されている。すなわち、アッパージャケット１３６の最上部が、蒸気排出路１３９を介して、蒸気導出路１４１と接続されている。
【００９４】
蒸気導出路１４１には、過熱器１４２、タービン１４３、及びコンデンサ１４４が介装されている。
【００９５】
本発明の蒸気加熱器としての過熱器１４２は、排気ポート１３２から排出された排気ガスの通路である排気通路と接続されている。この過熱器１４２は、排気ガスと蒸気との熱交換によって、蒸気を加熱し得るように構成されている。すなわち、過熱器１４２は、蒸気排出路１３９から排出された蒸気を排気ガスで加熱することで、過熱蒸気を生成し得るように構成されている。
【００９６】
本発明の膨張器としてのタービン１４３は、過熱器１４２を経て生成された過熱蒸気から、機械的エネルギーを回収し得るように構成されている。すなわち、タービン１４３は、回転羽根を備えていて、過熱器１４２から導入された過熱蒸気の膨張によって当該回転羽根が回転するように構成されている。
【００９７】
コンデンサ１４４は、タービン１４３を経た蒸気を、外気との熱交換によって冷却することで、凝縮し得るように構成されている。このコンデンサ１４４は、ラジエータと同様の構造に構成されている。
【００９８】
コンデンサ１４４は、本発明の冷却媒体貯留部としてのキャッチタンク１４５と接続されている。キャッチタンク１４５は、ロアジャケット１２３及びアッパージャケット１３６の双方を満たし得る程度の量の冷却水を貯留し得るように構成されている。
【００９９】
キャッチタンク１４５の上端部には、冷却水入口としての冷却水回収口１４５ａが設けられている。冷却水回収口１４５ａは、コンデンサ１４４によって得られた液体状の冷却水を、キャッチタンク１４５に導入し得るように構成されている。また、キャッチタンク１４５には、冷却水出口としての、ロア冷却水供給口１４５ｂ及びアッパー冷却水供給口１４５ｃが設けられている。
【０１００】
ロア冷却水供給口１４５ｂは、キャッチタンク１４５の最低部から冷却水を外部に排出し得るように構成されている。アッパー冷却水供給口１４５ｃは、キャッチタンク１４５の上部であって、冷却水回収口１４５ａよりも下方に設けられている。このアッパー冷却水供給口１４５ｃは、キャッチタンク１４５の上部から冷却水を外部に排出し得るように構成されている。
【０１０１】
ロア冷却水供給口１４５ｂ及びアッパー冷却水供給口１４５ｃは、三方向弁からなる制御バルブ１４６の第１及び第２の流入側ポートと、それぞれ接続されている。制御バルブ１４６の流出側ポートは、供給ポンプ１４７と接続されている。
【０１０２】
本発明の冷却媒体送出ポンプとしての供給ポンプ１４７は、ロアジャケット１２３の底部に設けられた冷却水注入路１２５と接続されている。この供給ポンプ１４７は、キャッチタンク１４５からロアジャケット１２３の底部に液体状の冷却水を送出し得るように構成されている。
【０１０３】
＜温水循環部の構成＞
エンジン１００は、温水循環部１５０を備えている。温水循環部１５０は、ロアジャケット１２３を基点として、（比較的高温の）冷却水の循環路を形成するように、以下のように構成されている。
【０１０４】
温水循環部１５０は、本発明の冷却媒体送出ポンプとしての循環ポンプ１５１を備えている。循環ポンプ１５１の流入側ポートは、冷却水排出路１２４と接続されている。また、循環ポンプ１５１の流出側ポートは、冷却水通路であるウォータージェット循環路１５２を介して、冷却水供給路１３８における内部通路１３８ａと接続されている。
【０１０５】
すなわち、ロアジャケット１２３の底部から、循環ポンプ１５１、ウォータージェット循環路１５２、冷却水供給路１３８、冷却水噴射部１３７、及びアッパージャケット１３６を経て、ロアジャケット１２３の底部に還流する、液体状の冷却水の循環路が形成されている。
【０１０６】
ウォータージェット循環路１５２から分岐する冷却水通路であるヒータ循環路１５３には、ヒータ１５４が介装されている。ヒータ循環路１５３は、ヒータ１５４よりも下流側にて、冷却水排出路１２４と合流するように設けられている。本実施形態におけるヒータ１５４は、自動車の室内の空気を加温し得るように構成されている。
【０１０７】
すなわち、本実施形態においては、循環ポンプ１５１は、ロアジャケット１２３の最低部から、冷却水噴射部１３７及びヒータ１５４に、液体状の冷却水を送出するように構成されている。
【０１０８】
＜実施形態のエンジンの動作＞
以下、上述の構成を有する本実施形態のエンジン１００の動作について、各図を参照しつつ説明する。
【０１０９】
図１を参照すると、エンジン１００の始動時点においては、ロアジャケット１２３の底部に、比較的少量（ロアジャケット１２３の容量よりもはるかに少量）の液体状の冷却水が貯留されている。
【０１１０】
エンジン１００が始動された後、循環ポンプ１５１が起動される。すると、ロアジャケット１２３の底部の、液体状の冷却水は、ウォータージェット循環路１５２及びヒータ循環路１５３に送出される。
【０１１１】
ウォータージェット循環路１５２に送出された、液体状の冷却水は、冷却水供給路１３８における内部通路１３８ａを通過する。これにより、シリンダヘッド１３０における、排気弁ステムシール部材１３５ｄの近傍の部分が冷却される。換言すれば、シリンダヘッド１３０における、排気弁ステムシール部材１３５ｄの近傍の部分によって、液体状の冷却水が加温される。
【０１１２】
そして、冷却水供給路１３８における内部通路１３８ａを経た液体状の冷却水は、冷却水噴射部１３７に達する。そして、冷却水噴射部１３７によって、この液体状の冷却水が、シリンダヘッド１３０の内壁面に向けて、勢いよく噴射される。すなわち、アッパージャケット１３６の内壁面であって排気弁１３５ａの近傍の位置に、液滴状の冷却水が噴射される。これにより、アッパージャケット１３６が冷却される。換言すれば、アッパージャケット１３６からの吸熱により、液滴状の冷却水がさらに加温される。
【０１１３】
この加温された液滴状の冷却水の一部は飽和蒸気となり、アッパージャケット１３６から蒸気排出路１３９を介して蒸気導出路１４１に導出される。蒸気とならずに液体のまま昇温した冷却水は、下方のロアジャケット１２３に向けて還流する。なお、アッパージャケット１３６からロアジャケット１２３の底部に向かう途中でも、液体状の冷却水は、シリンダブロック１２０からの吸熱により、蒸気に相変態し得る。この蒸気は、上方のアッパージャケット１３６に達し、蒸気導出路１４１に導出される。
【０１１４】
アッパージャケット１３６からシリンダヘッド１３０の外部へと導出された蒸気は、過熱器１４２にて、排気ガスとの熱交換によって加熱され、過熱蒸気となる。過熱器１４２にて発生した過熱蒸気は、タービン１４３にて、膨張により、前記回転羽根を回転させる。これにより、過熱蒸気の有する熱エネルギーが、タービン１４３の前記回転羽根の運動（回転）のエネルギーに変換される。すなわち、過熱蒸気から機械的エネルギーが回収される。
【０１１５】
タービン１４３を経て低エネルギーとなった蒸気は、コンデンサ１４４にて冷却されることで、凝縮される。コンデンサ１４４にて液体状となった冷却水は、冷却水回収口１４５ａを経て、キャッチタンク１４５の上部に回収される。
【０１１６】
一方、循環ポンプ１５１によってヒータ循環路１５３に送出された、液体状の冷却水は、ヒータ１５４を経て、循環ポンプ１５１に再度還流する。
【０１１７】
ロアジャケット１２３の底部には、液体状の冷却水が、供給ポンプ１４７によって、キャッチタンク１４５から供給される。
【０１１８】
ここで、低負荷及び中程度の負荷の運転時においては、制御バルブ１４６により、アッパー冷却水供給口１４５ｃと供給ポンプ１４７とが接続され、ロア冷却水供給口１４５ｂと供給ポンプ１４７との接続が遮断される。これにより、キャッチタンク１４５の上部の比較的高温の冷却水が、ロアジャケット１２３に供給される。また、ロアジャケット１２３への液体状の冷却水の供給量が制限される。よって、エンジンブロック１１０を過度に冷却することが効果的に防止され得る。
【０１１９】
一方、高負荷運転時においては、制御バルブ１４６により、ロア冷却水供給口１４５ｂと供給ポンプ１４７とが接続され、アッパー冷却水供給口１４５ｃと供給ポンプ１４７との接続が遮断される。これにより、キャッチタンク１４５の底部の比較的低温の冷却水が、ロアジャケット１２３に供給される。また、ロアジャケット１２３に比較的多量の液体状の冷却水が供給される。よって、エンジンブロック１１０の冷却が良好に行われる。
【０１２０】
＜実施形態の構成による効果＞
以下、上述のような本実施形態の構成による効果について説明する。
【０１２１】
・本実施形態の構成においては、液体状の冷却水が、冷却水噴射部１３７によって、エンジンブロック１１０の内壁面、すなわち、アッパージャケット１３６の内壁面に、勢いよく噴射される。すなわち、アッパージャケット１３６の内壁面に対して、液体状の冷却水が、勢いよく衝突する。
【０１２２】
これにより、アッパージャケット１３６の内壁面に付着している、冷却水の蒸気による気泡が、良好に弾き飛ばされる。よって、高負荷運転等により、シリンダヘッド１３０（特に排気ポート１３２付近）が高温になって、アッパージャケット１３６の内壁面にて大量の気泡が発生した場合であっても、膜沸騰現象の発生が、緩和又は抑制され得る。
【０１２３】
したがって、かかる構成によれば、シリンダヘッド１３０（特に排気ポート１３２付近）の冷却が、良好に行われる。
【０１２４】
また、シリンダヘッド１３０にて発生している廃熱による冷却水の昇温が、効率的に行われる。よって、廃熱からの機械的エネルギーの回収効率が良好となる。
【０１２５】
・本実施形態においては、エンジンブロック１１０のうちの最も高温になる部位である、燃焼室や排気ポート１３２の近辺に対して、液体状の冷却水が噴射される。
【０１２６】
かかる構成によれば、前記部位の冷却が良好に行われることで、エンジンブロック１１０の冷却が効率的に行われ得る。また、より高温の蒸気が得られることで、廃熱からのエネルギー回収効率が向上され得る。
【０１２７】
・本実施形態の構成においては、冷却水噴射部１３７によって、細かい液滴状の冷却水が、アッパージャケット１３６の内壁面に噴射される。
【０１２８】
これにより、アッパージャケット１３６の内壁面における、冷却効率、及び冷却水の気化効率が、向上し得る。よって、シリンダヘッド１３０（特に排気ポート１３２付近）の冷却が、良好に行われる。また、廃熱回収のための蒸気の発生が、安定的に行われ得る。
【０１２９】
・本実施形態の構成においては、エンジン１００の始動時には、ロアジャケット１２３の底部に比較的少量（ロアジャケット１２３の容量よりもはるかに少量）の冷却水が貯留されていて、ロアジャケット１２３の上側の大部分は冷却水がない状態となっている。
【０１３０】
これにより、エンジンブロック１１０（特にシリンダブロック１２０）の暖機性が良好となる。したがって、エンジンブロック１１０（特にシリンダブロック１２０）におけるフリクションロスが、効果的に低減され得る。
【０１３１】
・本実施形態の構成においては、シリンダ１２１を囲むように設けられたロアジャケット１２３の上端部と、アッパージャケット１３６（シリンダヘッド１３０における、冷却水噴射部１３７によって液体状の冷却水が噴射される空間）の下端部とが連通する。また、蒸気排出路１３９は、アッパージャケット１３６の最上部から蒸気を外部に排出し得るように設けられている。
【０１３２】
よって、冷却水の蒸気は、アッパージャケット１３６の最上部に設けられた蒸気排出路１３９から、過熱器１４２及びタービン１４３に向けて送出される。また、下方のロアジャケット１２３にて発生した蒸気も、上方のアッパージャケット１３６に流入し、蒸気排出路１３９から、過熱器１４２及びタービン１４３に向けて送出され得る。
【０１３３】
一方、上方のアッパージャケット１３６にて噴射された液体状の冷却水のうちの、気化しなかった（蒸気とならなかった）ものは、下方のロアジャケット１２３に流れ落ち得る。
【０１３４】
このように、本実施形態の構成によれば、アッパージャケット１３６における、蒸気と液体との分離が良好に行われる。よって、過熱器１４２及びタービン１４３への液体状の冷却水の流入が効果的に抑制され得る。したがって、廃熱回収部１４０の作動効率の低下が可及的に抑制され得る。
【０１３５】
・本実施形態の構成においては、ロアジャケット１２３の最低部から、液体状の冷却水が、冷却水排出路１２４を介して導出され、冷却水噴射部１３７に供給される。すなわち、本実施形態においては、ロアジャケット１２３の最低部に設けられた冷却水排出路１２４によって、液体状の冷却水と蒸気とが分離される。そして、分離された液体状の冷却水が、冷却水噴射部１３７に供給される。
【０１３６】
これにより、冷却水噴射部１３７による液体状の冷却水の確実な噴射、及びエンジンブロック１１０の適切かつ確実な冷却が達成され得る。
【０１３７】
・本実施形態の構成においては、冷却水噴射部１３７に液体状の冷却水を供給するための内部通路１３８ａが、排気弁ステムシール部材１３５ｄの近傍を通っている。
【０１３８】
これにより、シリンダヘッド１３０における排気弁ステムシール部材１３５ｄの近傍の部分が、液体状の冷却水によって、良好に冷却される。よって、熱による排気弁ステムシール部材１３５ｄの劣化が抑制され得る。
【０１３９】
・本実施形態の構成においては、コンデンサ１４４によって凝縮された液体状の冷却水が、キャッチタンク１４５に貯留される。また、充分多量の液体状の冷却水を貯留しているキャッチタンク１４５から、液体状の冷却水が、供給ポンプ１４７によって、ロアジャケット１２３の底部に送出される。そして、ロアジャケット１２３の底部に一旦貯留された液体状の冷却水が、循環ポンプ１５１によって、冷却水噴射部１３７及びヒータ１５４に送られる。
【０１４０】
これにより、冷却水噴射部１３７への液体状の冷却水の供給が、安定的に行われ得る。
【０１４１】
ここで、ロアジャケット１２３の底部の冷却水は、エンジンブロック１１０からの吸熱によって、ある程度昇温されている。
【０１４２】
よって、エンジンブロック１１０の過度の冷却が防止され得る。また、アッパージャケット１３６にて発生する蒸気の温度も比較的高温にされ得る。これにより、廃熱からのエネルギー回収効率がいっそう向上し得る。さらに、比較的高温の冷却水がヒータ１５４に早期に供給される。これにより、ヒータ１５４の暖機性が向上する。
【０１４３】
＜変形例の例示列挙＞
なお、上述の実施形態は、上述した通り、出願人が取り敢えず本願の出願時点において最良であると考えた本発明の代表的な実施形態を単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【０１４４】
以下、代表的な変形例について、幾つか例示する。以下の変形例の説明において、上述の実施形態にて説明されているものと同様の構成及び機能を有する部材に対しては、上述の実施形態と同様の符号が付されているものとする。また、技術的に矛盾しない範囲内において、上述の実施形態における説明が援用され得るものとする。
【０１４５】
もっとも、言うまでもなく、変形例とて、以下に列挙されたもの限定されるものではない。また、複数の変形例が、技術的に矛盾しない範囲内において、適宜、複合的に適用され得る。
【０１４６】
本発明（特に、本発明の課題を解決するための手段を構成する各構成要素における、作用的・機能的に表現されているもの）は、上述の実施形態や、下記変形例の記載に基づいて限定解釈されてはならない。このような限定解釈は、（先願主義の下で出願を急ぐ）出願人の利益を不当に害する反面、模倣者を不当に利するものであって、許されない。
【０１４７】
（Ａ）本発明の適用対象は、直列型エンジンに限定されない。例えば、本発明は、Ｖ型、Ｗ型、水平対向型のいずれにも好適に適用され得る。
【０１４８】
また、本発明の適用対象は、ガソリンエンジンに限定されない。例えば、本発明は、ディーゼルエンジンにも適用され得る。
【０１４９】
（Ｂ）本発明において、バルブ数に限定はない。すなわち、吸気ポート１３１及び排気ポート１３２の数に限定はない。
【０１５０】
（Ｃ）点火プラグ１３３に代えて、燃料噴射弁が設けられ得る。この場合、ガソリンエンジン及びディーゼルエンジンのいずれの場合もあり得る。
【０１５１】
（Ｄ）タービン１４３に備えられた前記回転羽根の回転エネルギーは、電気に変換されてもよいし、他の回転駆動系の動力源として用いられてもよい。
【０１５２】
また、タービン１４３に代えて、ピストンを備えた機構を用いてもよい。
【０１５３】
（Ｅ）供給ポンプ１４７の駆動方式に限定はない。
【０１５４】
例えば、供給ポンプ１４７は、エンジン１００の出力軸にて発生した駆動力を、動力伝達機構を介して受け取るように構成されていてもよい。
【０１５５】
あるいは、供給ポンプ１４７は、タービン１４３の前記回転羽根にて発生した駆動力を、動力伝達機構を介して受け取るように構成されていてもよい。
【０１５６】
あるいは、供給ポンプ１４７は、電動モータによって回転駆動されるように構成されていてもよい。この電動モータの駆動電源は、タービン１４３を介して回収された電気エネルギーであってもよいことはいうまでもない。
【０１５７】
（Ｆ）ヒータ循環路１５３は、ヒータ１５４を経て、ロアジャケット１２３に還流するように設けられてもよい。
【０１５８】
（Ｇ）図３は、図１に示されているエンジン１００の一つの変形例の概略構成図である。
【０１５９】
図３に示されているように、キャッチタンク１４５とは別に、液体状の冷却水を貯留し得る冷却水タンク１５５が設けられていてもよい。冷却水タンク１５５は、ウォータージェット循環路１５２によって、循環ポンプ１５１の循環ポンプ１５１の流入側ポートと接続されている。また、冷却水タンク１５５は、ヒータ循環路１５３の末端と接続されている。また、冷却水タンク１５５は、供給ポンプ１４７の流出側ポートと接続されている。
【０１６０】
かかる変形例においては、キャッチタンク１４５内に貯留された液体状の冷却水が、供給ポンプ１４７によって、キャッチタンク１４５から冷却水タンク１５５に供給される。
【０１６１】
また、ロアジャケット１２３の底部から、液体状の冷却水が、冷却水タンク１５５に流入する。このロアジャケット１２３の底部から冷却水タンク１５５に流入する冷却水には、エンジン１００の始動時からロアジャケット１２３の底部に貯留されていたものと、冷却水噴射部１３７によって噴射された冷却水のうちの気化しなかったものと、が含まれ得る。
【０１６２】
かかる構成によれば、冷却水噴射部１３７への液体状の冷却水の供給が、よりいっそう安定的に行われ得る。
【０１６３】
（Ｈ）図４は、図１に示されているシリンダヘッド１３０の一つの変形例の構成を示す側断面図である。
【０１６４】
図４に示されているように、この変形例における冷却水噴射部１３７は、シリンダヘッド１３０の本体を構成する壁材の内部に形成された冷却水路の末端の、小径のノズルから構成されている。また、接続通路１３８ｂも、内部通路１３８ａと同様に、前記壁材の内部に形成された冷却水路として形成されている。これらの冷却水噴射部１３７及び接続通路１３８ｂも、排気弁ステムシール部材１３５ｄの近傍を通るように設けられている。
【０１６５】
かかる構成によれば、シリンダヘッド１３０における排気弁ステムシール部材１３５ｄの近傍の部分が、液体状の冷却水によって、より良好に冷却される。したがって、熱による排気弁ステムシール部材１３５ｄの劣化が抑制され得る。
【０１６６】
（Ｉ）図５は、図１に示されているシリンダヘッド１３０の他の変形例の構成を示す側断面図である。
【０１６７】
図５に示されているように、この変形例の構成においては、冷却水噴射部１３７は、排気弁ステムシール部材１３５ｄの近傍、及び排気ポート１３２の始端部の近傍に冷却水を噴射するように構成されている。
【０１６８】
かかる構成においては、液体状の冷却水が、シリンダヘッド１３０における排気弁ステムシール部材１３５ｄの近傍の部分に噴射される。これにより、当該部分が、液体状の冷却水によって良好に冷却される。
【０１６９】
よって、熱による排気弁ステムシール部材１３５ｄの劣化が抑制され得る。また、より高温の蒸気が得られることで、廃熱からのエネルギー回収効率がいっそう向上され得る。
【０１７０】
（Ｊ）図６は、図１に示されているエンジン１００の他の変形例の概略構成図である。
【０１７１】
図６を参照すると、この変形例においては、循環ポンプ１５１と接続された冷却水噴射部１３７の他に、もう１つの冷却水噴射部１３７’が備えられている。
【０１７２】
冷却水噴射部１３７は、上述の実施形態と同様に、燃料噴射用ノズルと同様の構造を有している。この冷却水噴射部１３７は、アッパージャケット１３６の内壁面であって、吸気ポート１３１の末端部及び排気ポート１３２の始端部の近傍（すなわち燃焼室の近傍）の位置に、液体状の冷却水を噴射するように構成及び配置されている。
【０１７３】
一方、冷却水噴射部１３７’は、上述の変形例と同様に、シリンダヘッド１３０の本体を構成する壁材の内部に形成された冷却水路の末端の、小径のノズルから構成されている。この冷却水噴射部１３７’は、シリンダヘッド１３０における排気弁ステムシール部材１３５ｄの近傍の部分に、液体状の冷却水を噴射するように構成及び配置されている。すなわち、供給ポンプ１４７は、冷却水噴射部１３７’を介してシリンダヘッド１３０に液体状の冷却水を噴射することで、ロアジャケット１２３に冷却水を供給するように構成されている。
【０１７４】
そして、供給ポンプ１４７の流出側ポートは、冷却水噴射部１３７’と接続されている。すなわち、この変形例においては、供給ポンプ１４７は、冷却水噴射部１３７’に対して液体状の冷却水を供給するように構成されている。
【０１７５】
かかる構成においては、循環ポンプ１５１から供給された液体状の冷却水が、冷却水噴射部１３７によって、アッパージャケット１３６の内壁面に噴射される。これにより、シリンダヘッド１３０における最も高温となる部位が良好に冷却されるとともに、高温の蒸気が発生する。
【０１７６】
また、供給ポンプ１４７から供給された液体状の冷却水が、冷却水噴射部１３７’によって、シリンダヘッド１３０における排気弁ステムシール部材１３５ｄの近傍の部分に噴射される。これにより、当該部分が良好に冷却されるとともに、高温の蒸気が発生する。
【０１７７】
冷却水噴射部１３７及び１３７’によって噴射された液体状の冷却水のうちの、気化しなかった（蒸気にならなかった）ものが、下方のロアジャケット１２３の底部に供給され、循環ポンプ１５１に再度供給される。
【０１７８】
かかる構成によれば、液体状の冷却水のエンジンブロック１１０への確実な噴射、及びエンジンブロック１１０の適切かつ確実な冷却が達成され得る。
【０１７９】
（Ｋ）図６における冷却水噴射部１３７と、冷却水噴射部１３７’とは、同一の構造を有するように構成されていてもよい。すなわち、冷却水噴射部１３７及び１３７’は、燃料噴射用ノズルと同様の構造に構成され得る。あるいは、冷却水噴射部１３７及び１３７’は、シリンダヘッド１３０の本体を構成する壁材の内部に形成された冷却水路の末端の、小径のノズルから構成され得る。
【０１８０】
（Ｌ）図６に示されている構成において、図３に示されている冷却水タンク１５５が設けられていてもよい。この場合、供給ポンプ１４７の下流側に三方向弁を設けて、供給ポンプ１４７による液体状の冷却水の供給先を、冷却水噴射部１３７’と冷却水タンク１５５とのいずれかに切り替え可能としてもよい。
【０１８１】
（Ｍ）図７は、図１に示されているエンジン１００の他の変形例の概略構成図である。
【０１８２】
図７を参照すると、この変形例においては、図６における温水循環部１５０、及び当該温水循環部１５０に介装された冷却水噴射部１３７が省略されている。
【０１８３】
すなわち、この変形例においては、キャッチタンク１４５内に貯留された液体状の冷却水が、供給ポンプ１４７を介して直接に冷却水噴射部１３７’に供給されるようになっている。
【０１８４】
この場合、図７に示されているように、筒状のフェルト部材１６１が、ロアジャケット１２３のシリンダ１２１に近い側の内壁面と接触するように設けられていることが好適である。このフェルト部材１６１は、グラスファイバ等の繊維からなり、液体状の冷却水を表面張力（毛管現象）によって上方に向けて移動させ得るように構成されている。
【０１８５】
かかる構成においては、冷却水噴射部１３７’によって噴射された液体状の冷却水のうちの、気化しなかった（蒸気にならなかった）ものが、下方のロアジャケット１２３に流れ落ちる。このロアジャケット１２３に流入した液体状の冷却水は、フェルト部材１６１に浸透し、上方のアッパージャケット１３６に向けて上昇する。そして、シリンダ１２１における最も高温となる箇所である、（燃焼室付近の）上端部にて、冷却水が蒸気となり得る。この蒸気は、アッパージャケット１３６に流入し、アッパージャケット１３６にて発生した蒸気とともに、蒸気排出路１３９を介して外部に導出され、過熱器１４２やタービン１４３へと導入される。
【０１８６】
かかる構成によれば、ロアジャケット１２３に流入した液体状の冷却水により、シリンダブロック１２０が適切に冷却される。また、ロアジャケット１２３に流入した液体状の冷却水から、蒸気が効率的に生成され得る。
【０１８７】
（Ｎ）図８は、図１に示されているエンジンブロック１１０の他の変形例の概略構成図である。
【０１８８】
図８を参照すると、エンジンブロック１１０は、鉛直方向に対して第１の側（図中左側）に傾斜するように配置されている。冷却水噴射部１３７及び１３７”は、エンジンブロック１１０の上部であって、前記第１の側に設けられている。蒸気排出路１３９は、シリンダヘッド１３０の上部であって、前記第１の側と反対の第２の側（図中右側）に設けられている。
【０１８９】
冷却水噴射部１３７は、シリンダヘッド１３０に装着されている。この冷却水噴射部１３７は、排気ポート１３２の始端部に向けて液体状の冷却水を噴射し得るように構成及び配置されている。
【０１９０】
シリンダブロック１２０には、内部噴射通路１２６が形成されている。内部噴射通路１２６は、シリンダブロック１２０の上部における前記第１の側から蒸気排出路１３９に向かう冷却水通路である。この内部噴射通路１２６は、斜め上方に延びるように、気筒配列方向と垂直に設けられている。
【０１９１】
シリンダブロック１２０とシリンダヘッド１３０とは、ガスケット１７０を介して接合されている。
【０１９２】
図９は、図８に示されているガスケット１７０の平面図である。図１０は、図８に示されている変形例のエンジンブロック１１０を上方から見た概略構成図である。
【０１９３】
図９を参照すると、ガスケット１７０には、連通孔１７１と、噴射孔１７２と、が形成されている。
【０１９４】
図８及び図９を参照すると、連通孔１７１は、シリンダ１２１に対応する位置に設けられている。この連通孔１７１は、アッパージャケット１３６とロアジャケット１２３とを（斜め）上下方向に沿って連通させるように形成されている。
【０１９５】
噴射孔１７２は、隣り合うシリンダ１２１の間であって、内部噴射通路１２６の末端に対応する位置に設けられている。そして、図８を参照すると、内部噴射通路１２６は、その末端がアッパージャケット１３６の底部にて開口するように設けられている。
【０１９６】
図８を参照すると、内部噴射通路１２６の前記第１の側の端部には、冷却水噴射部１３７”が装着されている。この冷却水噴射部１３７”は、蒸気排出路１３９に向けて冷却水を噴射し得るように構成されている。
【０１９７】
かかる構成においては、冷却水噴射部１３７及び冷却水噴射部１３７”によって、液体状の冷却水が、エンジンブロック１１０の内壁面に噴射される。そして、エンジンブロック１１０から熱を吸収することで発生した冷却水の蒸気は、蒸気排出路１３９を介して、蒸気導出路１４１に流入する。
【０１９８】
このとき、液体状の冷却水が、冷却水噴射部１３７及び冷却水噴射部１３７”によって、蒸気排出路１３９に向かう方向に噴射される。これにより、冷却水噴射部１３７及び冷却水噴射部１３７”から蒸気排出路１３９に向かって、空気の流れが形成される。エンジンブロック１１０内にて発生した冷却水の蒸気は、この空気の流れに乗ることで、蒸気導出路１４１に効率的に導出される。
【０１９９】
（Ｏ）その他、本発明の課題を解決するための手段を構成する各要素における、作用・機能的に表現されている要素は、上述の実施形態や変形例にて開示されている具体的構造の他、当該作用・機能を実現可能な、いかなる構造をも含む。
【図面の簡単な説明】
【０２００】
【図１】本発明の一実施形態に係るエンジンの概略構成図である。
【図２Ａ】図１に示されているシリンダヘッドの拡大図であって、シリンダの軸中心を通り気筒配列方向と垂直な平面による側断面図である。
【図２Ｂ】図１に示されているシリンダヘッドの、図２Ａとは異なる平面による側断面図であって、吸気ポート及び排気ポートの下端部における中心を通る平面による側断面図である。
【図３】図１に示されているエンジンの一つの変形例の概略構成図である。
【図４】図１に示されているシリンダヘッドの一つの変形例の構成を示す側断面図である。
【図５】図１に示されているシリンダヘッドの他の変形例の構成を示す側断面図である。
【図６】図１に示されているエンジンの他の変形例の概略構成図である。
【図７】図１に示されているエンジンの他の変形例の概略構成図である。
【図８】図１に示されているエンジンブロックの他の変形例の概略構成図である。
【図９】図８に示されているガスケットの平面図である。
【図１０】図８に示されている変形例のエンジンブロックを上方から見た概略構成図である。
【符号の説明】
【０２０１】
１００…エンジン        １１０…エンジンブロック    １２０…シリンダブロック
１２１…シリンダ        １２３…ロアジャケット（ウォータージャケット）
１２４…冷却水排出路    １２５…冷却水注入路        １２６…内部噴射通路
１３０…シリンダヘッド  １３１…吸気ポート（吸気通路）
１３２…排気ポート（排気通路）                      １３４…吸気部
１３５…排気部          １３５ａ…排気弁            １３５ｂ…排気弁ステム
１３５ｃ…排気弁ステムガイド孔          １３５ｄ…排気弁ステムシール部材
１３６…アッパージャケット                          １３７…冷却水噴射部
１３７’…冷却水噴射部  １３７”…冷却水噴射部      １３８…冷却水供給路
１３８ａ…内部通路      １３８ｂ…接続通路          １３９…蒸気排出路
１４０…廃熱回収部      １４１…蒸気導出路          １４２…過熱器（蒸気加熱器）
１４３…タービン（膨張器）                          １４４…コンデンサ（凝縮器）
１４５…キャッチタンク（冷却媒体貯留部）            １４７…供給ポンプ
１５０…温水循環部                                  １５１…循環ポンプ
１５２…ウォータージェット循環路                    １５３…ヒータ循環路
１５４…ヒータ          １５５…冷却水タンク        １６１…フェルト部材
１７０…ガスケット      １７１…連通孔              １７２…噴射孔
【図１】
2008121615.tif 000003
【図２Ａ】
2008121615.tif 000004
【図２Ｂ】
2008121615.tif 000005
【図３】
2008121615.tif 000006
【図４】
2008121615.tif 000007
【図５】
2008121615.tif 000008
【図６】
2008121615.tif 000009
【図７】
2008121615.tif 000010
【図８】
2008121615.tif 000011
【図９】
2008121615.tif 000012
【図１０】
2008121615.tif 000013